(57)【要約】【課題】好適な集塵性能を確保して取扱も至便とする。【解決手段】ダストボックス２０は、仕上サンダ１のハウジング２に形成された粉塵排出用のノズル１０に装着される装着部２１と、その装着部２１に連結され、ノズル１０から排出される粉塵を貯留する集塵部２２とからなり、集塵部２２を、装着部２１へ着脱可能に連結される合成樹脂製のボックス２８と、そのボックス２８内に収容されて粉塵を貯留し、左右の側壁３４にプリーツ３５を形成した不織布製の集塵パック２９とから構成している。【選択図】図１
2011005560.tif 000002
【特許請求の範囲】
【請求項１】
電動工具のハウジングに形成された粉塵排出用のノズルに装着される装着部と、その装着部に連結され、前記ノズルから排出される粉塵を貯留する集塵部とからなるダストボックスであって、
前記集塵部を、前記装着部へ着脱可能に連結されるボックスと、そのボックス内に収容されて前記粉塵を貯留する不織布製の集塵パックとから構成したことを特徴とするダストボックス。
【請求項２】
前記集塵パックの左右の側壁における上下方向の中央部に、前記集塵パックの内側へ折り込まれるプリーツを、前記ノズルへの差し込み方向と平行に少なくとも一本ずつ形成したことを特徴とする請求項１に記載のダストボックス。
【請求項３】
ハウジングに粉塵排出用のノズルを形成した電動工具であって、
前記ノズルに、請求項１又は２に記載のダストボックスを装着したことを特徴とする電動工具。
【発明の詳細な説明】
【技術分野】
【０００１】
本発明は、サンダ等の電動工具へ集塵用に装着されるダストボックスと、そのダストボックスを装着した電動工具とに関する。
【背景技術】
【０００２】
ダストボックスは、サンダ等の電動工具のハウジングに形成されるノズルに装着され、電動工具から排出される粉塵等を集塵するために用いられる。例えば特許文献１には、空気流出穴を形成した上カバーの内側に紙製の折り畳みフィルタを配置したダストボックスが開示されている。
【先行技術文献】
【特許文献】
【０００３】
【特許文献１】特開２０００−３３５８３号公報
【発明の概要】
【発明が解決しようとする課題】
【０００４】
しかし、特許文献１に記載のダストボックスは、フィルタが紙製であるため、目詰まりが生じやすく、そのため集塵性能が低下してしまうおそれがある。また、脆弱であるため交換等の際に破損させるおそれがあり、取扱いに不便となっていた。
【０００５】
そこで、本発明は、好適な集塵性能を確保でき、取扱いにも至便となるダストボックス及び電動工具を提供することを目的としたものである。
【課題を解決するための手段】
【０００６】
上記目的を達成するために、請求項１に記載の発明は、電動工具のハウジングに形成された粉塵排出用のノズルに装着される装着部と、その装着部に連結され、ノズルから排出される粉塵を貯留する集塵部とからなるダストボックスであって、集塵部を、装着部へ着脱可能に連結されるボックスと、そのボックス内に収容されて粉塵を貯留する不織布製の集塵パックとから構成したことを特徴とするものである。
請求項２に記載の発明は、請求項１の構成において、集塵パックの左右の側壁における上下方向の中央部に、集塵パックの内側へ折り込まれるプリーツを、ノズルへの差し込み方向と平行に少なくとも一本ずつ形成したことを特徴とするものである。
上記目的を達成するために、請求項３に記載の発明は、ハウジングに粉塵排出用のノズルを形成した電動工具であって、ノズルに、請求項１又は２に記載のダストボックスを装着したことを特徴とするものである。
【発明の効果】
【０００７】
請求項１及び３に記載の発明によれば、不織布製の集塵パックによって好適な集塵性能を確保できる。また、比較的強度の高い不織布を採用しているので、破損のおそれが低減し、取扱いにも至便となる。
請求項２に記載の発明によれば、請求項１の効果に加えて、集塵パック内でスムーズな風の流れを作ることができて空気の拡散に伴う乱流が起こりにくくなる。よって、集塵性能の維持に有効なプリーツの形成が可能となる。
【図面の簡単な説明】
【０００８】
【図１】仕上サンダの縦断面図である。
【図２】集塵パックの斜視図である。
【図３】集塵パックの横断面図である。
【図４】変更例の集塵パックの斜視図である。
【図５】変更例の集塵パックの横断面図である。
【図６】別の変更例の集塵パックの斜視図である。
【図７】別の変更例の集塵パックの横断面図である。
【発明を実施するための形態】
【０００９】
以下、本発明の実施の形態を図面に基づいて説明する。
図１は、電動工具の一例である仕上サンダの縦断面図で、仕上サンダ１は、ハウジング２に下向きに内設したモータ３の出力軸４の下端に、ファン５を組付け、そのファン５の下端に出力軸４と偏心させて設けた軸部６に、ボールベアリング７を介してベース８を組み付けて、ベース８の下端にパッド９を固定してなる。よって、モータ３が駆動して出力軸４が回転すると、その回転が偏心するボールベアリング７を介してベース８に伝わることで、パッド９はオービタル運動し、下面に装着した図示しないサンディングペーパーによって被研磨材の研磨が可能となる。この研磨作業時に生じた粉塵は、パッド９に設けた図示しない透孔からファン５によってハウジング２内に吸い込まれ、ハウジング２の側方に突設したノズル１０から排出される。
【００１０】
そして、ノズル１０にはダストボックス２０が装着されている。このダストボックス２０は、ノズル１０に装着される装着部２１と、その装着部２１に連結され、ノズル１０から空気と共に排出される粉塵を貯留する集塵部２２とからなる。以下ダストボックス２０においては装着部２１側を前方、集塵部２２側を後方として説明する。
まず装着部２１は、ノズル１０に外嵌されるスリーブ２３と、そのスリーブ２３に組み付けられるキャップ２４とを備える。スリーブ２３は、後端に四角形状のフランジ２５を連設したゴム製で、フランジ２５の後面には、スリーブ２３の開口の下側を受けてここから排出される空気を上向きに案内する吹き出し口２６が形成されている。また、キャップ２４の左右両サイドには、後方へ向けて一対のフック２７，２７が突設されている。
【００１１】
一方、集塵部２２は、前方を開口した合成樹脂製のボックス２８と、そのボックス２８内に収容される集塵パック２９とから形成されている。
まずボックス２８は、上下両面に複数の通気孔３０，３０・・を穿設した有底の四角筒で、ボックス２８の左右には、フック２７の被係止部（図示せず）が形成されている。
そして、集塵パック２９は、図２にも示すように、不織布製の四角袋状であるパック本体３１の開口に、中央に開口部３３を形成した四角形状の厚紙３２を貼着してなり、パック本体３１をボックス２８に収容して、厚紙３２をボックス２８の開口に嵌合させることで、全体をボックス２８に収容可能となっている。
【００１２】
また、パック本体３１の左右の側壁３４，３４には、図３にも示すようにプリーツ３５が夫々設けられている。このプリーツ３５は、各壁部３４の上下方向の中央部で内側へ折り込まれて夫々前後方向（ノズル１０への差し込み方向）の全長に亘って突出する帯状に形成されている。プリーツ３５の突出端は、前方から見て厚紙３２の開口部３３の内縁よりも内側に位置（プリーツ３５の突出端が厚紙３２越しに視認できる位置）している。さらに、プリーツ３５の前後端の短辺部分は、接着剤によって閉塞されている。
【００１３】
以上の如く構成された仕上サンダ１においては、研磨作業でノズル１０から粉塵と共に空気が排出されると、当該空気は、スリーブ２３を通って吹き出し口２６から集塵パック２９内に吹き出し、ボックス２８の通気孔３０から外部へ排出される。このとき、空気中の粉塵は、パック本体３１によって捕捉され、そのまま内部に貯留する。この集塵状態で集塵パック２９は、ボックス２８によって全体が保護されているため、手や物がぶつかっても破損等するおそれはない。
【００１４】
また、上向きの吹き出し口２６により、粉塵は斜め上へ排出され、パック本体３１の上壁に当接して下方へ落ちる。しかし、左右の側壁３４にはプリーツ３５が突出しているので、粉塵の一部はプリーツ３５上にとどまり、残りがパック本体３１の下部に溜まることになる。粉塵の全てがパック本体３１の下部に落下すると、パック本体３１内で乱流が起こり、集塵性能が低下するおそれがあるが、このように粉塵の一部がパック本体３１の下部に落下しないため、パック本体３１内に乱流が生じにくくなり、集塵性能の低下は好適に防止される。
【００１５】
さらに、上向きの吹き出し口２６により、常にパック本体３１の上側には風や粉塵が当たることになるため、粉塵が掻き落とされて目詰まりしにくい効果も得られる。仮に目詰まりが生じてもプリーツ３５によってパック本体３１の表面積は増加しているので、通気性は維持される。
【００１６】
そして、集塵パック２９内の粉塵を廃棄する場合は、ノズル１０からスリーブ２３を引き抜いてダストボックス２０を仕上サンダ１から取り外し、キャップ２４を上にした状態で装着部２１から集塵部２２を分離させ、集塵部２２のボックス２８を把持してそのままダストシュート等に向けて開口を下向きにすれば、集塵パック２９をボックス２８から取り外すことなく内部の粉塵が開口部３３から排出される。後は再びボックス２８をキャップ２４に組み付けて仕上サンダ１に装着すればよい。こうして常にボックス２８を把持して廃棄作業が行えるため、集塵パック２９が変形等するおそれはない。
【００１７】
このように、上記形態のダストボックス２０及び仕上サンダ１によれば、集塵部２２を、装着部２１へ着脱可能に連結されるボックス２８と、そのボックス２８内に収容されて粉塵を貯留する不織布製の集塵パック２９とから構成したことで、好適な集塵性能を確保できる。また、比較的強度の高い不織布を採用しているので、破損のおそれが低減し、取扱いにも至便となる。
【００１８】
特にここでは、集塵パック２９の左右の側壁３４における上下方向の中央部に、集塵パック２９の内側へ折り込まれるプリーツ３５を、ノズル１０への差し込み方向と平行に一本ずつ形成しているので、パック本体３１内でスムーズな風の流れを作ることができて空気の拡散に伴う乱流が起こりにくくなる。よって、集塵性能の維持に有効なプリーツ３５の形成が可能となる。
【００１９】
なお、集塵パック２９に設けるプリーツ３５は、各側壁３４に一本ずつ形成する形態に限らず、図４，５に示すように複数ずつ設けることもできる。このように複数設ければそれだけ表面積が増加して集塵性能が高まることになる。
また、パック本体と一体に設ける他、図６，７に示す集塵パック２９ａのように、パック本体３１の側壁３４に開口３６を形成し、その開口３６に、複数のプリーツ３５，３５・・を折り込んで各プリーツ３５の両端を接着により閉塞したプリーツ体３７を貼着することで、側壁３４にプリーツ３５を設けることもできる。このプリーツ３５は一つずつでもよい。
さらに、プリーツの位置は左右の側壁中央に限らず、上壁や下壁に設けることもできるし、上下左右の壁全てに設けることもできる。勿論パック本体の内側への突出高さも変更して差し支えない。
【００２０】
そして、装着部や集塵部の構造も適宜変更可能で、スリーブとキャップとを一体形成したり、ボックスの通気孔を底部や側部にも形成したり、ボックスの底部を無くして軸方向の前後が開口する筒体としたり等、集塵パックの保護が可能な形態であれば適宜設計変更可能である。従って、取扱い性に支障がなければフレーム状のボックスとすることも考えられる。
その他、電動工具も、上記仕上サンダに限らず、ベルトサンダやマルノコ等、粉塵排出用のノズルを備えたものであれば本発明のダストボックスは装着可能である。
【符号の説明】
【００２１】
１・・仕上サンダ、２・・ハウジング、３・・モータ、４・・出力軸、５・・ファン、８・・ベース、１０・・ノズル、２０・・ダストボックス、２１・・装着部、２２・・集塵部、２３・・スリーブ、２４・・キャップ、２６・・吹き出し口、２８・・ボックス、２９・・集塵パック、３１・・パック本体、３２・・厚紙、３４・・側壁、３５・・プリーツ、３７・・プリーツ体。
【図１】
2011005560.tif 000003
【図２】
2011005560.tif 000004
【図３】
2011005560.tif 000005
【図４】
2011005560.tif 000006
【図５】
2011005560.tif 000007
【図６】
2011005560.tif 000008
【図７】
2011005560.tif 000009